(57)【要約】【課題】作業台への仮設通路の装着作業性を向上する。【解決手段】作業台用の仮設通路は作業台１０に装着される。作業台１０は、地中に打設された複数本の杭支柱に水平に取り付けられる複数の大引部材１３と、大引部材１３の上に大引部材１３に対して直角方向となって水平に取り付けられ、覆工板１５が敷設される複数の根太部材１４とを備えている。通路部材を支持する支持フレーム２１が作業台１０に装着される。支持フレーム２１は、大引部材１３の上フランジ１３ａの両側を囲むように根太部材１４の下側に延びる基端部が設けられた２本の支持棒材２２を備え、根太部材１４にクランプ部材２９により締結される。支持フレーム２１には、通路部材を位置決めする先端側ストッパ２７と、基端側ストッパ２８とが設けられている。【選択図】図６
2019090218.tif 000002
【特許請求の範囲】
【請求項１】
地中に打設された複数本の杭支柱に水平に取り付けられる複数の大引部材と、前記大引部材の上に前記大引部材に対して直角方向となって水平に取り付けられ、覆工板が敷設される複数の根太部材とを備えた作業台に装着される作業台用の仮設通路であって、
前記大引部材の上フランジの両側を囲むように前記根太部材の下側に延びる基端部が設けられた２本の真っ直ぐな支持棒材を備え、前記根太部材にクランプ部材により締結されて通路部材を支持する支持フレームと、
前記支持フレームの先端部に設けられ、前記通路部材の外側を位置決めする先端側ストッパと、
前記支持フレームの基端部側に設けられ、前記通路部材の内側を位置決めする基端側ストッパと、
を有する作業台用の仮設通路。
【請求項２】
請求項１記載の作業台用の仮設通路において、前記先端側ストッパと前記基端側ストッパには、前記支持フレームを前記作業台に装着されるときに、吊り下げ機械のワイヤが係合される、作業台用の仮設通路。
【請求項３】
請求項１または２記載の作業台用の仮設通路において、前記支持棒材は上フランジと下フランジと前記上フランジと前記下フランジの内側辺に一体となったウェブとを有し、前記クランプ部材は前記上フランジと前記根太部材とを締結する、作業台用の仮設通路。
【請求項４】
地中に打設された複数本の杭支柱に水平に取り付けられる複数の大引部材と、前記大引部材の上に前記大引部材に対して直角方向となって水平に取り付けられ、覆工板が敷設される複数の根太部材とを備えた作業台に装着される作業台用の仮設通路であって、
前記大引部材のウェブの両側を囲むように前記根太部材の下側に延びる基端部が設けられた２本の真っ直ぐな支持棒材を備える支持フレームと、
前記支持棒材の間に取り付けられ、前記支持フレームの基端部を前記大引部材に締結するクランプ部材と、
前記支持フレームに締結され、通路部材が搭載される台座フレームと、を有し、
前記台座フレームは、前記２本の支持棒材の間に挿入されて前記支持フレームの先端部側に締結される締結棒材と、前記締結棒材の先端部と基端部側とに取り付けられる支柱と、前記支柱に取り付けられ、前記締結棒材に沿って延びる受け棒材とを備える、
作業台用の仮設通路。
【請求項５】
請求項４記載の作業台用の仮設通路において、前記支柱は、前記締結棒材に取り付けられる筒形の基部と、前記基部に挿入されて高さ位置が調整自在の先端部とを有し、前記通路部材の高さ位置が調整自在である、作業台用の仮設通路。
【発明の詳細な説明】
【技術分野】
【０００１】
本発明は、作業台の側辺に装着され、作業者が走行するための作業台用の仮設通路に関する。
【背景技術】
【０００２】
鉄筋コンクリート造の地下躯体つまり地下構造物を有する建築物を建築したり、地下構造物の上に鉄骨造の地上躯体を建築したりするときには、地下構造物の高さまで地盤が掘削される。地盤を掘削するときには、まず、比較的浅い位置まで地盤を掘削した後に、Ｈ形鋼からなる複数本の杭支柱が地下構造物の高さよりも深い位置まで打設され、杭支柱の上には作業台が設けられる。作業台は杭支柱の上に水平に配置される複数の下側のＨ形鋼つまり大引部材と、この大引部材の上に大引部材に対して直角方向に延びて配置される上側のＨ形鋼つまり根太部材とを有し、根太部材の上には床板としての覆工板が配置される。
【０００３】
覆工板が設けられた作業台はトラックや掘削機械が走行し得る広さに設けられ、覆工板の一部には、地盤を露出させるための開口部が設けられる。地盤に配置された掘削機械により地盤を掘削し、掘削された土砂は、開口部から作業台の上に搬出されてトラックに積載される。地盤を掘削機械により掘削することにより、地盤は深く掘削される。このようにして、地下構造物の高さに対応する深さまで地盤を掘削することにより、地下構造物を建設することができる。
【０００４】
覆工板の側辺には、作業者が覆工板に沿って安全に走行したり、建築作業をしたりするために、特許文献１および特許文献２に記載されるように、仮設通路が敷設される。
【先行技術文献】
【特許文献】
【０００５】
【特許文献１】特開平８−２４６６６０号公報
【特許文献２】特開２０１７−４０１１３号公報
【発明の概要】
【発明が解決しようとする課題】
【０００６】
特許文献１に記載される仮設通路は、クランク状の支持部材を備えている。支持部材は、上側のＨ形鋼に突き当てられる腕部材と、上側のＨ形鋼に沿って上方に延びる立ち上げ部材と、これの上端から水平の通路載置部分とを有し、立ち上げ部材には下側のＨ形鋼の上に載置される差し渡し部材が取り付けられている。このため、支持部材を上下両方のＨ形鋼の交差部に装着するには、差し渡し部材が下側のＨ形鋼と干渉しないようにして支持部材を傾斜させ、腕部材を上側のＨ形鋼の下面に突き当てた後に差し渡し部材を下側のＨ形鋼に載置させる必要があり、支持部材の装着作業を容易に行うことができないという課題がある。
【０００７】
一方、特許文献２に記載される張出通路は足場板を支持する片持フックを有し、片持フックは、横断部とこれの一端部に横断部に直角に設けられた起立部とを備えている。Ｈ形鋼からなる桁板に取り付けられるフックスタンドに嵌合する嵌合部が起立部に水平部を介して設けられており、嵌合部をフックスタンドに嵌合させた後に、ピンにより嵌合部とフックスタンドとが締結される。このため、片持フックをフックスタンドに取り付けるには、折れ曲がった形状の片持ちフックの嵌合部をフックスタンドに嵌合させる作業と、ピンを取り付ける作業とが必要であり、片持フックの装着作業を容易に行うことができないという課題がある。
【０００８】
本発明の目的は、作業台への仮設通路の装着作業性を向上することにある。
【課題を解決するための手段】
【０００９】
本発明の作業台用の仮設通路は、地中に打設された複数本の杭支柱に水平に取り付けられる複数の大引部材と、前記大引部材の上に前記大引部材に対して直角方向となって水平に取り付けられ、覆工板が敷設される複数の根太部材とを備えた作業台に装着される作業台用の仮設通路であって、前記大引部材の上フランジの両側を囲むように前記根太部材の下側に延びる基端部が設けられた２本の真っ直ぐな支持棒材を備え、前記根太部材にクランプ部材により締結されて通路部材を支持する支持フレームと、前記支持フレームの先端部に設けられ、前記通路部材の外側を位置決めする先端側ストッパと、前記支持フレームの基端部側に設けられ、前記通路部材の内側を位置決めする基端側ストッパと、を有する。
【００１０】
本発明の作業台用の仮設通路は、地中に打設された複数本の杭支柱に水平に取り付けられる複数の大引部材と、前記大引部材の上に前記大引部材に対して直角方向となって水平に取り付けられ、覆工板が敷設される複数の根太部材とを備えた作業台に装着される作業台用の仮設通路であって、前記大引部材のウェブの両側を囲むように前記根太部材の下側に延びる基端部が設けられた２本の真っ直ぐな支持棒材を備える支持フレームと、前記支持棒材の間に取り付けられ、前記支持フレームの基端部を前記大引部材に締結するクランプ部材と、前記支持フレームに締結され、通路部材が搭載される台座フレームと、を有し、前記台座フレームは、前記２本の支持棒材の間に挿入されて前記支持フレームの先端部側に締結される締結棒材と、前記締結棒材の先端部と基端部側とに取り付けられる支柱と、前記支柱に取り付けられ、前記締結棒材に沿って延びる受け棒材とを備える。
【発明の効果】
【００１１】
支持フレームは２本の真っ直ぐな支持棒材を有し、支持棒材が大引部材を囲むようにして大引部材に支持フレームが挿入される。このように、真っ直ぐな支持棒材を有する支持フレームは作業台に容易に装着することができ、支持フレームはクランプ部材により容易に作業台に締結される。支持フレームに通路部材を直接搭載する形態においては、支持フレームには通路部材を位置決めするための先端側ストッパと基端部側ストッパとが設けられており、通路部材は支持フレームに位置決めされる。このように、支持フレームの上に通路部材を搭載することにより、作業台の側辺に仮設通路を設けることができ、作業台への仮設通路の装着作業性を向上することができる。
【００１２】
一方、支持フレームに台座フレームを締結し、台座フレームの上に通路部材を搭載する形態においては、作業者の手作業により支持フレームを作業台に装着し、その上に台座フレームを取り付けることができるので、台座フレームの上に通路部材を搭載することにより、作業台の側辺に仮設通路を設けることができ、作業台への仮設通路の装着作業性を向上することができる。
【図面の簡単な説明】
【００１３】
【図１】（Ａ）は作業台の一例を示す断面図であり、（Ｂ）は覆工板が取り付けられる前の作業台を示す平面図である。
【図２】仮設通路が装着される前の作業台の平面図である。
【図３】作業台に仮設通路が装着された状態を示す平面図である。
【図４】作業台の一部を拡大して示す斜視図である。
【図５】作業台に装着される支持フレームを示す斜視図である。
【図６】図４に示された作業台に支持フレームが装着された状態を示す斜視図である。
【図７】支持フレームを作業台に装着している状態を示す正面図である。
【図８】支持フレームに通路部材を装着している状態を示す正面図である。
【図９】支持フレームに装着される通路部材を示す側面図である。
【図１０】通路部材が作業台に装着された状態を示す正面図である。
【図１１】作業台に装着される変形例の支持フレームと支持フレームに取り付けられ台座フレームとを示す斜視図である。
【図１２】図１１に示された支持フレームと台座フレームとが作業台に装着された状態を示す斜視図である。
【図１３】図１１に示された支持フレームを作業台に手作業により装着している状態を示す正面図である。
【図１４】支持フレームに台座フレームを装着している状態を示す正面図である。
【図１５】台座フレームに通路部材を装着している状態を示す正面図である。
【図１６】通路部材が作業台に装着された状態を示す正面図である。
【発明を実施するための形態】
【００１４】
以下、本発明の実施の形態を図面に基づいて詳細に説明する。図１は、鉄筋コンクリート造の地下躯体つまり地下構造物を建築するために、地表面Ａを掘削して所定の深さの地盤Ｂが形成され、地盤Ｂにより形成された掘削空間Ｃに作業台１０が構築された状態を示す。地下構造物を建築するために、その周辺の地盤には、土止め板１１ａ〜１１ｄが施工され、土止め板の内側に掘削空間Ｃが形成されている。
【００１５】
地盤Ｂの地中には、Ｈ形鋼からなる複数本の杭支柱１２が、地下構造物の高さに相当する位置Ｂ0よりも深い位置まで垂直に打設され、杭支柱１２の上には水平に複数の大引部材１３が取り付けられる。大引部材１３の上には大引部材１３に対して直角方向となって水平に複数の根太部材１４が取り付けられる。図１（Ｂ）においては、根太部材１４は左右方向に延び、大引部材１３は上下方向に延びており、杭支柱１２は、大引部材１３のうち、根太部材１４が交差する部分の下側に取り付けられている。根太部材１４の上には床板としての覆工板１５が敷設される。覆工板１５は複数枚の金属製のパネル材により形成される。
【００１６】
床板つまり覆工板１５を根太部材１４の上に敷設することにより、杭支柱１２と、大引部材１３と、根太部材１４と、覆工板１５とからなる作業台１０が形成される。図１（Ｂ）は、覆工板１５を取り除いて、大引部材１３とその上の根太部材１４とが格子状となって掘削空間Ｃに取り付けられた状態を示す。
【００１７】
覆工板１５の一端部は、地表面Ａに同一高さとなって連なっており、地表面Ａのうち覆工板１５に連なった部分は走行部１６となっている。走行部１６を介して、掘削機械ＳやトラックＴが覆工板１５の上に進入したり、覆工板１５から外部の道路に移動したりすることができる。さらに、走行部１６から作業者が覆工板１５の上に移動することができる。覆工板１５に隣り合って、開口部１７が作業台１０に設けられており、掘削機械Ｓにより掘削された地盤Ｂの土砂は、開口部１７から作業台１０の上方に運搬されてトラックＴに搬送される。地盤Ｂの掘削が進んだ後には、地盤Ｂの上に図示しない他の掘削機械が搬入され、所定の深さの地盤Ｂ0の位置となるまで地盤Ｂが掘削される。覆工板１５の下側の地盤Ｂは、他の掘削機械や作業者により開口部１７の下側まで搬送され、掘削機械ＳによりトラックＴに搬送される。
【００１８】
作業者が安全に作業台１０の側辺に沿って移動できるように、掘削作業が進行される前に、作業台用の仮設通路２０が作業台１０に装着される。図２は、仮設通路２０が作業台１０に装着される前の状態を示し、図３は作業台用の仮設通路２０が作業台１０に装着された状態を示す。
【００１９】
図３においては、仮設通路２０が作業台１０の両方の側辺に装着された状態を示すが、一方の側辺に仮設通路２０装着するようにしても良い。また、図１〜図３は、作業台１０の一例を示しており、作業台１０の大きさや、作業台１０の周辺の地表面Ａの位置、隣り合う大引部材１３、隣り合う根太部材１４の間隔やそれぞれの本数は、地下構造物が構築される位置やその広さにより任意に設定される。図１（Ｂ）は作業台１０が根太部材１４等により形成されることを概略的に示している。
【００２０】
図４は作業台１０の一部を拡大して示す斜視図であり、図５は作業台１０に装着される支持フレーム２１を示す斜視図である。図６は、図４に示された作業台１０に支持フレーム２１が装着された状態を示す斜視図である。
【００２１】
図４に示されるように、大引部材１３は、上フランジ１３ａと下フランジ１３ｂとを有し、上フランジ１３ａと下フランジ１３ｂはウェブ１３ｃを介して一体である。ウェブ１３ｃは、上フランジ１３ａと下フランジ１３ｂにそれぞれの幅方向中央部で一体となっている。このように、大引部材１３はＨ形鋼により形成される。根太部材１４も同様にＨ形鋼により形成されており、根太部材１４は、上フランジ１４ａと下フランジ１４ｂとを有し、上フランジ１４ａと下フランジ１４ｂはウェブ１４ｃを介して一体である。ウェブ１４ｃは、上フランジ１４ａと下フランジ１４ｂにそれぞれの幅方向中央部で一体となっている。この明細書においては、下側のＨ形鋼１３を大引部材と言い、上側のＨ形鋼１４を根太部材と言う。
【００２２】
支持フレーム２１は、図５に示されるように、平行に延びる２本の真っ直ぐな支持棒材２２を備えている。２本の支持棒材２２はその先端部の連結棒材２３と、基端部側の連結棒材２４とにより相互に連結されている。支持フレーム２１は、図５において左側を先端部とし、右側を基端部とする。２本の連結棒材２３、２４の間には、支持フレーム２１の強度を高めるために、筋交い部材２５が取り付けられている。
【００２３】
それぞれの支持棒材２２は、上フランジ２２ａと下フランジ２２ｂとを有し、上フランジ２２ａと下フランジ２２ｂはウェブ２２ｃを介して一体であり、横断面形状がコの字形状の形鋼である。ウェブ２２ｃは、上フランジ２２ａと下フランジ２２ｂとにそれぞれの内側辺で一体となっている。ただし、支持棒材２２としては、Ｈ形鋼を用いても良い。２本の支持棒材２２の内側には、挿入スペース２６が設けられており、この挿入スペース２６の幅方向の間隔は、大引部材１３の上フランジ１３ａの幅寸法よりも大きく設定されている。
【００２４】
それぞれの支持棒材２２の先端部には、断面がコの字状の先端側ストッパ２７が取り付けられ、先端側ストッパ２７の上フランジ２７ａは支持フレーム２１の前方に突出している。支持フレーム２１の基端部側には断面がコの字状の基端側ストッパ２８が取り付けられ、基端側ストッパ２８の上フランジ２８ａは支持フレーム２１の後方に突出している。基端側ストッパ２８は支持棒材２２の基端部側を連結しており、支持フレーム２１の強度を高めている。
【００２５】
支持フレーム２１は、図６に示されるように、２本の支持棒材２２の基端部が大引部材１３の上フランジ１３ａの両側を囲むように根太部材１４の下側に装着される。このときには、基端部側の連結棒材２４が上フランジ１３ａに当接し、支持フレーム２１の作業台１０に対する姿勢が根太部材１４に対して直角方向に設定される。支持フレーム２１の基端部は根太部材１４を横切るように下側に延びている。支持フレーム２１は２つのクランプ部材２９により作業台１０に取り付けられる。クランプ部材２９は、ブルマンとも言われ、それぞれの支持棒材２２の上フランジ２２ａを根太部材１４の下フランジ１４ｂに締結する。このように、真っ直ぐな支持棒材２２の基端部を、上フランジ１３ａの両側に隙間を介して作業台１０に挿入する操作と、クランプ部材２９により支持フレーム２１を根太部材１４に締結する操作により、容易に支持フレーム２１を作業台１０に取り付けることができる。
【００２６】
図７は支持フレーム２１を作業台１０に装着している状態を示す正面図であり、図８は支持フレーム２１に通路部材３０を装着している状態を示す正面図である。図９は支持フレーム２１に装着される通路部材３０を示す側面図である。
【００２７】
図７に示されるように、図示しないクレーン等の吊り下げ機械のワイヤＷを、先端側ストッパ２７と基端側ストッパ２８とに係合させることにより、支持フレーム２１は吊り下げ機械により作業台１０の側辺に搬送される。支持フレーム２１は、上述したように、基端部が根太部材１４の下側に挿入され、クランプ部材２９により根太部材１４に締結される。図７においては、ワイヤＷにより吊り下げて搬送される支持フレーム２１と、根太部材１４に締結された支持フレーム２１とが示されている。
【００２８】
支持フレーム２１は、図２に示されるように、複数本の大引部材１３のそれぞれに対応させて根太部材１４に取り付けられる。したがって、支持フレーム２１は作業台１０の側辺に沿って所定の間隔毎に作業台１０に複数取り付けられる。
【００２９】
所定の数の支持フレーム２１が作業台１０に取り付けられた状態のもとで、図８に示されるように、図示しないクレーン等の吊り下げ機械のワイヤＷを通路部材３０に係合させることにより、通路部材３０は吊り下げ機械により支持フレーム２１の上に搬送され、支持フレーム２１の上に取り付けられる。通路部材３０は、ウォークウェイとも言われ、水平方向の２本の梁部材３１、３２と、梁部材３１、３２を連結する複数本の横方向棒材３３とを有している。横方向棒材３３の上には、足場板３４が取り付けられている。
【００３０】
２本の梁部材３１、３２には、図９に示されるように、所定の間隔を隔てて手摺支柱３５が取り付けられており、手摺支柱３５には、安全手摺３６が取り付けられている。このように、安全手摺３６が両側に取り付けられた通路部材３０を支持フレーム２１の上に取り付けることにより、通路部材３０と支持フレーム２１とを備えた仮設通路２０が図３に示されるように、作業台１０の側辺に沿って装着される。
【００３１】
支持フレーム２１の先端部には先端側ストッパ２７が取り付けられ、支持フレーム２１の基端部側には基端側ストッパ２８が取り付けられているので、通路部材３０を支持フレーム２１に装着すると、通路部材３０が支持フレーム２１から外れることを防止することができる。先端側ストッパ２７は通路部材３０の外側を位置決めし、基端側ストッパ２８は通路部材３０の内側の位置決めをする。このように、先端側ストッパ２７と基端側ストッパ２８は、図７に示されるように、支持フレーム２１を搬送するときにワイヤＷが引っ掛けられる機能と、通路部材３０の横方向移動を規制するストッパとしての機能とを有している。
【００３２】
図１０は通路部材３０が作業台１０に装着された状態を示す正面図であり、作業者Ｐは仮設通路２０において、作業台１０の上のトラックＴ等と接触することなく、安全に作業を行うことができる。図１０に示されるように、根太部材１４にさらに手摺部材３７を取り付けるようにしても良い。手摺部材３７は、根太部材１４に取り付けられる手摺支柱と、手摺支柱に取り付けられる安全手摺とを有している。このように、手摺部材３７を根太部材１４に取り付けると、作業者Ｐの安全をより高めることができる。ただし、手摺部材３７を設けることなく、仮設通路２０のみを作業台１０に取り付けるようにしても良い。なお、手摺部材３７を根太部材１４に取り付ける場合には、梁部材３２に手摺支柱３５と安全手摺３６とが設けられていない形態の通路部材を支持フレーム２１に取り付けることができる。
【００３３】
このように、支持フレーム２１はそれぞれ真っ直ぐな２本の支持棒材２２を有しており、作業台１０に基端部を大引部材１３に容易に挿入することができる。支持フレーム２１を挿入後に、クランプ部材２９により根太部材１４と支持フレーム２１とを締結することにより支持フレーム２１を容易に作業台１０に取り付けることができる。この支持フレーム２１の上に通路部材３０を搭載することにより、作業台の側辺に仮設通路２０を設けることができ、作業台１０への仮設通路２０の装着作業性を向上することができる。
【００３４】
図１１は作業台１０に装着される変形例の支持フレーム４１と支持フレーム４１に取り付けられ台座フレーム５１とを示す斜視図である。図１２は図１１に示された支持フレーム４１と台座フレーム５１とが作業台１０に装着された状態を示す斜視図である。
【００３５】
支持フレーム４１は、上述した支持フレーム２１と同様に、平行に延びる２本の真っ直ぐな支持棒材４２を備えている。２本の支持棒材４２はその先端部の連結板材４３により相互に連結されている。支持フレーム４１は、図１１において左側を先端部とし、右側を基端部とする。それぞれの支持棒材４２の基端部には、大引部材１３の上フランジ１３ａの下面に接触する突き当て部材４４、４５が取り付けられている。
【００３６】
それぞれの支持棒材４２は、上フランジ４２ａと下フランジ４２ｂとを有し、上フランジ４２ａと下フランジ４２ｂはウェブ４２ｃを介して一体である。ウェブ４２ｃは、上フランジ４２ａと下フランジ４２ｂとにそれぞれの内側辺で一体となっている。２本の支持棒材４２の内側には、挿入スペース４６が設けられており、この挿入スペース４６の幅方向の間隔は、大引部材１３のウェブ１３ａの幅寸法よりも大きく設定されている。
【００３７】
挿入スペース４６の基端部側には、クランプ部材４７が取り付けられている。クランプ部材４７は、挿入スペース４６内に配置されて支持棒材４２に固定される基部４７ａと、基部４７ａの先端から基部４７ａに対して直角方向となって支持フレーム４１の基端部に向けて突出する締結部４７ｂとを備えている。締結部４７ｂには、締結ねじ部材４８が設けられている。このように、２本の支持棒材４２は、先端部が連結板材４３により連結され、基端部側がクランプ部材４７の基部４７ａにより連結されており、クランプ部材４７は支持棒材４２を連結する機能を有している。
【００３８】
台座フレーム５１は、図１１に示されるように、支持フレーム４１の２本の支持棒材４２の間の挿入スペース４６の先端部側に挿入される締結棒材５２を有している。締結棒材５２の先端部と後端部には、Ｌ字形状のブラケット５３が取り付けられており、ブラケット５３に取り付けられた補強リブ５４が締結棒材５２に固定されている。それぞれのブラケット５３には、支柱５５が取り付けられ、支柱５５の先端には受け棒材５６が取り付けられており、受け棒材５６は締結棒材５２に沿っている。
【００３９】
支柱５５は、締結棒材５２にブラケット５３を介して取り付けられる筒形の基部５５ａと、基部５５ａに挿入されて高さ位置が調整自在の先端部５５ｂとを有し、受け棒材５６は先端部５５ｂに取り付けられている。先端部５５ｂと受け棒材５６との間には、補強リブ５７が取り付けられている。受け棒材５６の基端には、ストッパ５８が取り付けられている。
【００４０】
台座フレーム５１を支持フレーム４１に締結するために、台座フレーム５１の締結棒材５２には、ピン孔５９が設けられており、ピン孔５９に対応させて支持フレーム４１の支持棒材４２には、ピン孔４９が設けられている。締結棒材５２を挿入スペース４６の先端部側つまり支持フレーム４１の先端部側に挿入した状態のもとで、両方のピン孔４９、５９に図示しないピンを取り付けることにより、台座フレーム５１は支持フレーム４１の先端部側に締結される。支持フレーム４１に締結された台座フレーム５１の上に、上述した通路部材３０が搭載される。
【００４１】
２本の支持棒材４２が大引部材１３のウェブ１３ｃを囲むようにして支持フレーム４１の基端部を大引部材１３の上フランジ１３ａの下側に挿入させ、クランプ部材４７の締結ねじ部材４８を上フランジ１３ａに締結することにより、支持フレーム４１を作業台１０に取り付けることができる。さらに、台座フレーム５１の締結棒材５２を支持フレーム４１の挿入スペース４６に挿入し、図示しないピンをピン孔４９、５９に取り付けることにより、図１２示されるように、台座フレーム５１が設けられた支持フレーム４１を容易に作業台１０に取り付けることができる。
【００４２】
図１３は支持フレーム４１を作業台１０に装着している状態を示す正面図であり、図１４は支持フレーム４１に台座フレーム５１を装着している状態を示す正面図である。図１５は台座フレーム５１に通路部材３０を装着している状態を示す正面図であり、図１６は通路部材３０が作業台１０に装着された状態を示す正面図である。
【００４３】
図１３に示されるように、支持フレーム４１は作業者Ｐにより大引部材１３に挿入される。支持フレーム４１は、上述した支持フレーム２１と相違して軽量であり、クレーン等の吊り下げ機械を用いることなく、作業者Ｐの手作業により支持フレーム４１を大引部材１３に取り付けることができる。ただし、吊り下げ機械を用いて支持フレーム４１を大引部材１３に取り付けるようにしても良い。
【００４４】
支持フレーム４１が大引部材１３に取り付けられた状態のもとで、図１４に示されるように、台座フレーム５１の締結棒材５２が支持フレーム４１の挿入スペース４６に挿入される。締結棒材５２が挿入されると、締結棒材５２のピン孔５９が支持棒材４２のピン孔４９と一致する。この状態のもとで、両方のピン孔４９、５９を貫通させてピン６１が取り付けられる。
【００４５】
支持フレーム４１は、図２に示されるように、複数本の大引部材１３のそれぞれに取り付けられる。したがって、支持フレーム４１は作業台１０の側辺に沿って所定の間隔毎に作業台１０に複数取り付けられる。
【００４６】
所定の数の支持フレーム４１が作業台１０に取り付けられた状態のもとで、図１５に示されるように、図示しないクレーン等の吊り下げ機械のワイヤＷを通路部材３０に係合させることにより、通路部材３０は吊り下げ機械により台座フレーム５１の上に搬送され、台座フレーム５１の上に取り付けられる。通路部材３０は、上述したものと同じであり、水平方向の２本の梁部材３１、３２と、梁部材３１、３２を連結する複数本の横方向棒材３３とを有している。横方向棒材３３の上には、足場板３４が取り付けられている。
【００４７】
２本の梁部材３１、３２には、図９に示されるように、所定の間隔を隔てて手摺支柱３５が取り付けられており、手摺支柱３５には、安全手摺３６が取り付けられている。このように、安全手摺３６が両側に取り付けられた通路部材３０を支持フレーム２１の上に取り付けることにより、通路部材３０と支持フレーム２１とを備えた仮設通路２０が図３に示されるように、作業台１０の側辺に沿って装着される。
【００４８】
支持フレーム４１の基端部側にはストッパ５８が取り付けられており、通路部材３０は図１６に示されるように、ストッパ５８に突き当てられる。支持フレーム４１の上に、台座フレーム５１を取り付けると、通路部材３０の足場板３４は、覆工板１５とほぼ同じ高さとなる。このようにして、作業者は仮設通路２０において、作業台１０の上のトラックＴ等と接触することなく、安全に作業を行うことができる。
【００４９】
図１６に示されるように、根太部材１４にさらに手摺部材３７を取り付けるようにしても良い。手摺部材３７は、根太部材１４に取り付けられる手摺支柱と、手摺支柱に取り付けられる安全手摺とを有している。このように、手摺部材３７を根太部材１４に取り付けると、作業者の安全をより高めることができる。ただし、手摺部材３７を設けることなく、仮設通路２０のみを作業台１０に取り付けるようにしても良い。なお、手摺部材３７を根太部材１４に取り付ける場合には、梁部材３２に手摺支柱３５と安全手摺３６とが設けられていない形態の通路部材を支持フレーム２１に取り付けることができる。
【００５０】
このように、支持フレーム４１はそれぞれ真っ直ぐな２本の支持棒材２２を有しており、作業台１０に支持フレーム４１の基端部を大引部材１３に容易に挿入することができる。支持フレーム４１を挿入後に、クランプ部材４７により大引部材１３と支持フレーム４１とを締結することにより支持フレーム４１を容易に作業台１０に取り付けることができる。この支持フレーム４１の上に台座フレーム５１を取り付けて、その上に通路部材３０を搭載することにより、作業台１０の側辺に仮設通路２０を設けることができ、作業台１０への仮設通路２０の装着作業性を向上することができる。支持フレーム４１の上に台座フレーム５１を取り付けるようにした形態においては、それぞれを比較的軽量とすることができ、作業者の手作業により容易に支持フレーム４１と台座フレーム５１とを取り付けることができ、容易に仮設通路２０を組み立てることができる。
【００５１】
本発明は前記実施の形態に限定されるものではなく、その要旨を逸脱しない範囲で種々変更可能である。例えば、大引部材１３と根太部材１４は、それぞれＨ形鋼により形成されているが、それぞれを支持棒材２２と同様にコの字形の形鋼としても良い。また、上述した作業台用の仮設通路は、図１〜図３に示した作業台１０に限定されることなく、上下のＨ形鋼等の形鋼つまり根太部材１４と大引部材１３とを有する作業台に装着することができる。
【符号の説明】
【００５２】
１０    作業台
１２    杭支柱
１３    大引部材
１３ａ    上フランジ
１３ｂ    下フランジ
１３ｃ    ウェブ
１４    根太部材
１４ａ    上フランジ
１４ｂ    下フランジ
１４ｃ    ウェブ
１５    覆工板
２０    仮設通路
２１    支持フレーム
２２    支持棒材
２６    挿入スペース
２７    先端側ストッパ
２８    基端側ストッパ
２９    クランプ部材
３０    通路部材
３４    足場板
３５    手摺支柱
４１    支持フレーム
４２    支持棒材
４３    連結板材
４６    挿入スペース
４７    クランプ部材
４９    ピン孔
５１    台座フレーム
５２    締結棒材
５５    支柱
５５ａ    基部
５５ｂ    先端部
５６    受け棒材
５８    ストッパ
５９    ピン孔
６１    ピン
【図１】
2019090218.tif 000003
【図２】
2019090218.tif 000004
【図３】
2019090218.tif 000005
【図４】
2019090218.tif 000006
【図５】
2019090218.tif 000007
【図６】
2019090218.tif 000008
【図７】
2019090218.tif 000009
【図８】
2019090218.tif 000010
【図９】
2019090218.tif 000011
【図１０】
2019090218.tif 000012
【図１１】
2019090218.tif 000013
【図１２】
2019090218.tif 000014
【図１３】
2019090218.tif 000015
【図１４】
2019090218.tif 000016
【図１５】
2019090218.tif 000017
【図１６】
2019090218.tif 000018